【手続補正書】
【提出日】平成19年12月27日(2007.12.27)
【手続補正１】
【補正対象書類名】特許請求の範囲
【補正対象項目名】全文
【補正方法】変更
【補正の内容】
【特許請求の範囲】
【請求項１】
支持体および該支持体上に設けられた感光層を有する電子写真感光体と、
該電子写真感光体の表面に接触配置された帯電部材を有し、該帯電部材によって該電子写真感光体の表面を帯電するための帯電手段と、
該帯電手段によって帯電された該電子写真感光体の表面に露光光を照射することによって該電子写真感光体の表面に静電潜像を形成するための露光手段と、
該露光手段によって形成された該電子写真感光体の表面の静電潜像をトナーにより現像することによって該電子写真感光体の表面にトナー像を形成するための現像手段と、
中間転写体と、
該現像手段によって形成された該電子写真感光体の表面のトナー像を該中間転写体の表面に一次転写するための一次転写部材と、
該一次転写部材によって一次転写された該中間転写体の表面のトナー像を転写材に二次転写するための二次転写部材と、
該電子写真感光体の表面に接触配置されたクリーニング部材を有し、該一次転写手段による一次転写後に該電子写真感光体の表面に残留するトナーを該クリーニング部材により除去することによって該電子写真感光体の表面をクリーニングするためのクリーニング手段と
を有する電子写真装置において、
該電子写真感光体の表面層が、連鎖重合性官能基を有する正孔輸送性化合物を電子線の照射および該電子線の照射の後の加熱によって重合させて形成した層であり、
２５℃／５０％ＲＨ環境下、最終荷重６ｍＮおよび保持時間０．１秒の条件で対面角１３６°のビッカース四角錐ダイヤモンド圧子を用いて測定される該電子写真感光体の表面のユニバーサル硬さ値（ＨＵ）が１５０Ｎ／ｍｍ２以上２２０Ｎ／ｍｍ２以下であり、かつ、２５℃／５０％ＲＨ環境下、最終荷重６ｍＮおよび保持時間０．１秒の条件で対面角１３６°のビッカース四角錐ダイヤモンド圧子を用いて測定される該電子写真感光体の表面の弾性変形率が５０％以上６５％以下であり、
２５℃／５０％ＲＨ環境下、最終荷重０．１ｍＮおよび保持時間０．１秒の条件で対面角１３６°のビッカース四角錐ダイヤモンド圧子を用いて測定される該中間転写体の表面のユニバーサル硬さ値（ＨＵ）が２２０Ｎ／ｍｍ２以下であり、かつ、２５℃／５０％ＲＨ環境下、最終荷重０．１ｍＮおよび保持時間０．１秒の条件で対面角１３６°のビッカース四角錐ダイヤモンド圧子を用いて測定される該中間転写体の表面の弾性変形率が５０％
以上であり、
該電子写真感光体の表面のユニバーサル硬さ値（ＨＵ）が該中間転写体の表面のユニバーサル硬さ値（ＨＵ）より大きい
ことを特徴とする電子写真装置。
【請求項２】
前記電子写真感光体の表面のユニバーサル硬さ値（ＨＵ）が１６０Ｎ／ｍｍ２以上２００Ｎ／ｍｍ２以下である請求項１に記載の電子写真装置。
【請求項３】
前記中間転写体の表面のユニバーサル硬さ値（ＨＵ）が１００Ｎ／ｍｍ２以下である請求項１または２に記載の電子写真装置。
【請求項４】
前記中間転写体の表面の弾性変形率が８０％以下である請求項１〜３のいずれかに記載の電子写真装置。
【請求項５】
前記連鎖重合性官能基を有する正孔輸送性化合物が、前記連鎖重合性官能基を２つ以上有する正孔輸送性化合物である請求項１〜４のいずれかに記載の電子写真装置。
【請求項６】
前記連鎖重合性官能基を有する正孔輸送性化合物が、前記連鎖重合性官能基としてアクリロイルオキシ基およびメタクリロイルオキシ基の少なくとも一方の基を有する正孔輸送性化合物である請求項１〜５のいずれかに記載の電子写真装置。
【手続補正２】
【補正対象書類名】明細書
【補正対象項目名】００２０
【補正方法】変更
【補正の内容】
【００２０】
本発明は、支持体および該支持体上に設けられた感光層を有する電子写真感光体と、
該電子写真感光体の表面に接触配置された帯電部材を有し、該帯電部材によって該電子写真感光体の表面を帯電するための帯電手段と、
該帯電手段によって帯電された該電子写真感光体の表面に露光光を照射することによって該電子写真感光体の表面に静電潜像を形成するための露光手段と、
該露光手段によって形成された該電子写真感光体の表面の静電潜像をトナーにより現像することによって該電子写真感光体の表面にトナー像を形成するための現像手段と、
中間転写体と、
該現像手段によって形成された該電子写真感光体の表面のトナー像を該中間転写体の表面に一次転写するための一次転写部材と、
該一次転写部材によって一次転写された該中間転写体の表面のトナー像を転写材に二次転写するための二次転写部材と、
該電子写真感光体の表面に接触配置されたクリーニング部材を有し、該一次転写手段による一次転写後に該電子写真感光体の表面に残留するトナーを該クリーニング部材により除去することによって該電子写真感光体の表面をクリーニングするためのクリーニング手段と
を有する電子写真装置において、
該電子写真感光体の表面層が、連鎖重合性官能基を有する正孔輸送性化合物を電子線の照射および該電子線の照射の後の加熱によって重合させて形成した層であり、
２５℃／５０％ＲＨ環境下、最終荷重６ｍＮおよび保持時間０．１秒の条件で対面角１３６°のビッカース四角錐ダイヤモンド圧子を用いて測定される該電子写真感光体の表面のユニバーサル硬さ値（ＨＵ）が１５０Ｎ／ｍｍ２以上２２０Ｎ／ｍｍ２以下であり、かつ、２５℃／５０％ＲＨ環境下、最終荷重６ｍＮおよび保持時間０．１秒の条件で対面角１
３６°のビッカース四角錐ダイヤモンド圧子を用いて測定される該電子写真感光体の表面の弾性変形率が５０％以上６５％以下であり、
２５℃／５０％ＲＨ環境下、最終荷重０．１ｍＮおよび保持時間０．１秒の条件で対面角１３６°のビッカース四角錐ダイヤモンド圧子を用いて測定される該中間転写体の表面のユニバーサル硬さ値（ＨＵ）が２２０Ｎ／ｍｍ２以下であり、かつ、２５℃／５０％ＲＨ環境下、最終荷重０．１ｍＮおよび保持時間０．１秒の条件で対面角１３６°のビッカース四角錐ダイヤモンド圧子を用いて測定される該中間転写体の表面の弾性変形率が５０％以上であり、
該電子写真感光体の表面のユニバーサル硬さ値（ＨＵ）が該中間転写体の表面のユニバーサル硬さ値（ＨＵ）より大きい
ことを特徴とする電子写真装置。
【手続補正３】
【補正対象書類名】明細書
【補正対象項目名】００２２
【補正方法】変更
【補正の内容】
【００２２】
以下、本発明を詳細に説明する。
上述のとおり、本発明に用いられる電子写真感光体は、その表面の２５℃／５０％ＲＨ環境下、最終荷重６ｍＮおよび保持時間０．１秒の条件で対面角１３６°のビッカース四角錐ダイヤモンド圧子を用いて測定されるユニバーサル硬さ値（ＨＵ）が１５０Ｎ／ｍｍ２以上２２０Ｎ／ｍｍ２以下、弾性変形率が５０％以上６５％以下を示すものである。
【手続補正４】
【補正対象書類名】明細書
【補正対象項目名】００２６
【補正方法】変更
【補正の内容】
【００２６】
本発明の、表面のユニバーサル硬さ値（ＨＵ）が１５０Ｎ／ｍｍ２以上２２０Ｎ／ｍｍ２以下、弾性変形率が５０％以上６５％以下の電子写真感光体は、表面の傷（図８（ｂ）に例示したような傷）や摩耗の発生に対する耐久性に優れる反面、上述の、図８（ａ）に示すような特徴的な傷が突発的に生じやすい。また、表面が削れにくいことにより、この特徴的な傷が長期間保持されたままになりやすい。